(57)【要約】【課題】外国語文章の口述訓練を効果的に行えるように支援する。【解決手段】本発明に係る語学学習システムによれば、表示された特定言語の質問文章に対応する英語文章をユーザが英語で言い終わるまでの時間を計時し、予め設定された時間内に解答英語文章を正しく言い終えることができた文章データを合格ＢＯＸに分類し、正しく言うことができなかった文章データ、英語文章を言い終える前に基準時間が経過してしまった文章データ及びパスキーが押下された文章データを努力ＢＯＸに分類する。そして、合格ＢＯＸ又は努力ＢＯＸに蓄積された文章データに基づいてユーザの解答状態を分析し、分析結果を表示部に表示する。【選択図】図９
2006184899.tif 000002
【特許請求の範囲】
【請求項１】
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納する解答可否分類手段と、
前記合格文章格納手段に蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴とする語学学習装置。
【請求項２】
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されなかったと判断された場合、前記特定言語の質問文章及び対応する解答外国語文章を努力文章格納手段に格納する解答可否分類手段と、
前記努力文章格納手段に蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴とする語学学習装置。
【請求項３】
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納し、前記基準時間内に正しく解答されなかったと判断された場合、前記特定言語の質問文章及び対応する解答外国語文章を努力文章格納手段に格納する解答可否分類手段と、
前記合格文章格納手段及び前記努力文章格納手段のそれぞれに蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴とする語学学習装置。
【請求項４】
前記予め定められた基準時間は、前記入力手段を介して設定された情報であることを特徴とする請求項１〜３の何れか一項に記載の語学学習装置。
【請求項５】
前記出題文章格納手段に格納されている解答外国語文章には、その文章構造に基づく分類情報、その意味に基づく分類情報が対応付けられており、
前記分析手段は、前記努力文章格納手段に格納された解答外国語文章に対応する前記文章構造に基づく分類情報及び前記意味に基づく分類情報に基づいて、ユーザの解答状態を分析することを特徴とする請求項２〜４の何れか一項に記載の語学学習装置。
【請求項６】
前記努力文章格納手段に格納された特定言語の質問文章及び対応する解答外国語文章を再度出題対象とするリトライモードを備えたことを特徴とする請求項２〜５の何れか一項に記載の語学学習装置。
【請求項７】
前記出題文章格納手段に格納される解答外国語文章には、当該出題文章格納手段に格納された他の解答外国語文章を名詞化又は副詞化した解答外国語文章が含まれることを特徴とする請求項１〜６の何れか一項に記載の語学学習装置。
【請求項８】
前記特定言語は、日本語、朝鮮語又は中国語であることを特徴とする請求項１〜７の何れか一項に記載の語学学習装置。
【請求項９】
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納する機能と、
前記合格文章格納手段に蓄積された特定言語の質問文章及び対応する解答外国語文章に基づいて、ユーザの解答状態を分析する機能と、
前記表示手段に前記分析結果を表示させる機能と、
を実現させるためのプログラム。
【請求項１０】
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されなかったと判断された場合、前記特定言語の質問文章及び対応する解答外国語文章を努力文章格納手段に格納する機能と、
前記努力文章格納手段に蓄積された特定言語の質問文章及び対応する解答外国語文章に基づいて、ユーザの解答状態を分析する機能と、
前記表示手段に前記分析結果を表示させる機能と、
を実現させるためのプログラム。
【請求項１１】
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納し、前記基準時間内に正しく解答されなかったと判断された場合、前記特定言語の質問文章及び対応する解答外国語文章を努力文章格納手段に格納する機能と、
する機能と、
前記合格文章格納手段及び前記努力文章格納手段に蓄積された特定言語の質問文章及び対応する解答外国語文章に基づいて、ユーザの解答状態を分析する機能と、
前記表示手段に前記分析結果を表示させる機能と、
を実現させるためのプログラム。
【請求項１２】
前記特定言語は、日本語、朝鮮語又は中国語であることを特徴とする請求項９〜１１の何れか一項に記載のプログラム。
【発明の詳細な説明】
【技術分野】
【０００１】
本発明は、外国語の習得を支援する語学学習装置及びプログラムに関する。
【背景技術】
【０００２】
従来、外国語の習得を支援するための各種装置やシステムが開発されている。例えば、カセットテープやＣＤ−ＲＯＭ等に記憶された外国語の文章を繰り返し再生し、或いは、外国語とその母国語訳を交互に繰り返し再生し、学習者に外国語の文章を繰り返し聞き取らせることにより、外国語習得の支援を行うものがある（例えば、特許文献１参照）。
【特許文献１】特開２００１−３３１０９２号公報
【発明の開示】
【発明が解決しようとする課題】
【０００３】
外国語を習得するためには、外国語の音声を繰り返し聞き取る訓練のほか、日常よく使用される外国語文章を瞬間的に言えるようにするための口述訓練が必要である。しかしながら、上述した特許文献１においては、例文が繰り返し再生されるだけであるので、外国語文章を瞬間的に言えるようにするための口述訓練を効果的に行うことができなかった。
【０００４】
本発明の課題は、外国語文章の口述訓練を効果的に行えるように支援することである。
【課題を解決するための手段】
【０００５】
上記課題を解決するため、請求項１に記載の発明は、
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納する解答可否分類手段と、
前記合格文章格納手段に蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴としている。
【０００６】
請求項２に記載の発明は、
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されなかったと判断された場合、前記特定言語の質問文章及び対応する解答外国語文章を努力文章格納手段に格納する解答可否分類手段と、
前記努力文章格納手段に蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴としている。
【０００７】
請求項３に記載の発明は、
特定言語の質問文章とその解答外国語文章とが対応付けられて複数格納された出題文章格納手段と、
ユーザの指示情報を入力するための入力手段と、
前記出題文章格納手段から出題対象となる前記特定言語の質問文章又は前記解答外国語文章を読み出して表示手段に表示する表示制御手段と、
前記特定言語の質問文章が前記表示手段に表示された時点を計時開始時点とし、前記入力手段を介して前記特定言語の質問文章に対応する解答外国語文章の口述が完了したことを示す告知情報が入力された時点又は予め設定された基準時間が経過した時点を終点として計時を行う計時手段と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納し、前記基準時間内に正しく解答されなかったと判断された場合、前記特定言語の質問文章及び対応する解答外国語文章を努力文章格納手段に格納する解答可否分類手段と、
前記合格文章格納手段及び前記努力文章格納手段のそれぞれに蓄積された特定言語の質問文章及び対応する解答外国語文章に基づいて、ユーザの解答状態を分析する分析手段とを備え、
前記表示制御手段は、前記表示手段に前記分析手段による分析結果を表示することを特徴としている。
【０００８】
請求項４に記載の発明は、請求項１〜３の何れか一項に記載の発明において、
前記予め定められた基準時間は、前記入力手段を介して設定された情報であることを特徴としている。
【０００９】
請求項５に記載の発明は、請求項２〜４の何れか一項に記載の発明において、
前記出題文章格納手段に格納されている解答外国語文章には、その文章構造に基づく分類情報、その意味に基づく分類情報が対応付けられており、
前記分析手段は、前記努力文章格納手段に格納された解答外国語文章に対応する前記文章構造に基づく分類情報及び前記意味に基づく分類情報に基づいて、ユーザの解答状態を分析することを特徴としている。
【００１０】
請求項６に記載の発明は、請求項２〜５の何れか一項に記載の発明において、
前記努力文章格納手段に格納された特定言語の質問文章及び対応する解答外国語文章を再度出題対象とするリトライモードを備えたことを特徴としている。
【００１１】
請求項７に記載の発明は、請求項１〜６の何れか一項に記載の発明において、
前記出題文章格納手段に格納される解答外国語文章には、当該出題文章格納手段に格納された他の解答外国語文章を名詞化又は副詞化した解答外国語文章が含まれることを特徴としている。
【００１２】
請求項８に記載の発明は、請求項１〜７の何れか一項に記載の発明において、
前記特定言語は、日本語、朝鮮語又は中国語であることを特徴としている。
【００１３】
請求項９に記載の発明のプログラムは、
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納する機能と、
前記合格文章格納手段に蓄積された特定言語の質問文章及び対応する解答外国語文章に基づいて、ユーザの解答状態を分析する機能と、
前記表示手段に前記分析結果を表示させる機能と、
を実現させることを特徴としている。
【００１４】
請求項１０に記載の発明のプログラムは、
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されなかったと判断された場合、前記特定言語の質問文章及び対応する解答外国語文章を努力文章格納手段に格納する機能と、
前記努力文章格納手段に蓄積された特定言語の質問文章及び対応する解答外国語文章に基づいて、ユーザの解答状態を分析する機能と、
前記表示手段に前記分析結果を表示させる機能と、
を実現させることを特徴としている。
【００１５】
請求項１１に記載の発明のプログラムは、
コンピュータに、
特定言語の質問文章とその解答外国語文章とが対応付けられて複数格納された出題文章格納手段から出題対象となる前記特定言語の質問文章又は前記解答外国語文章を読み出して表示手段に表示させる機能と、
前記特定言語の質問文章が前記表示手段に表示された時点を計時開始時点とし、ユーザの指示情報を入力するための入力手段を介して前記特定言語の質問文章に対応する解答外国語文章の口述が完了したことを示す告知情報が入力された時点又は予め設定された基準時間が経過した時点を終点として計時手段に計時させる機能と、
前記入力手段を介して入力される指示情報及び／又は前記計時手段による計時結果に基づいて、前記予め設定された基準時間内に前記表示手段に表示された前記特定言語の質問文章に対応する解答外国語文章が口述により正しく解答されたと判断された場合、前記特定言語の質問文章及び対応する解答外国語文章を合格文章格納手段に格納し、前記基準時間内に正しく解答されなかったと判断された場合、前記特定言語の質問文章及び対応する解答外国語文章を努力文章格納手段に格納する機能と、
する機能と、
前記合格文章格納手段及び前記努力文章格納手段に蓄積された特定言語の質問文章及び対応する解答外国語文章に基づいて、ユーザの解答状態を分析する機能と、
前記表示手段に前記分析結果を表示させる機能と、
を実現させることを特徴としている。
【００１６】
請求項１２に記載の発明は、請求項９〜１１の何れか一項に記載の発明において、
前記特定言語は、日本語、朝鮮語又は中国語であることを特徴としている。
【発明の効果】
【００１７】
請求項１、９に記載の発明によれば、特定言語の質問文章とその解答外国語文章とが対応付けられて複数格納された出題文章格納手段から出題対象となる特定言語の質問文章が読み出されて表示手段に表示された時点を計時開始時点とし、ユーザの指示情報を入力するための入力手段を介して特定言語の質問文章に対応する解答外国語文章の口述が完了したことを示す告知情報が入力された時点又は予め設定された基準時間が経過した時点を終点として計時手段により計時を行い、入力手段を介して入力される指示情報及び／又は計時手段による計時結果に基づき予め設定された基準時間内に表示手段に表示された特定言語の質問文章に対応する解答外国語文章が口述により正しく解答されたと判断された場合、特定言語の質問文章及び対応する解答外国語文章を合格文章格納手段に格納し、合格文章格納手段に蓄積された特定言語の質問文章及び対応する解答外国語文章に基づいて、ユーザの解答状態を分析し、分析結果を表示する。従って、ユーザは、外国語文章を基準時間内に言えるようにするための口述訓練を効果的に行うことが可能となるとともに、自己の解答状態を把握し、今後の外国語学習の指針とすることが可能となる。
【００１８】
請求項２、１０に記載の発明によれば、特定言語の質問文章とその解答外国語文章とが対応付けられて複数格納された出題文章格納手段から出題対象となる特定言語の質問文章が読み出されて表示手段に表示された時点を計時開始時点とし、ユーザの指示情報を入力するための入力手段を介して特定言語の質問文章に対応する解答外国語文章の口述が完了したことを示す告知情報が入力された時点又は予め設定された基準時間が経過した時点を終点として計時手段により計時を行い、入力手段を介して入力される指示情報及び／又は計時手段による計時結果に基づき予め設定された基準時間内に表示手段に表示された特定言語の質問文章に対応する解答外国語文章が口述により正しく解答されなかったと判断された場合、特定言語の質問文章及び対応する解答外国語文章を努力文章格納手段に格納し、努力文章格納手段に蓄積された特定言語の質問文章及び対応する解答外国語文章に基づいて、ユーザの解答状態を分析し、分析結果を表示する。従って、ユーザは、外国語文章を基準時間内に言えるようにするための口述訓練を効果的に行うことが可能となるとともに、自己の解答状態として基準時間内に正しく解答できなかった文章の傾向を把握し、今後の外国語学習の指針とすることが可能となる。
【００１９】
請求項３、１１に記載の発明によれば、特定言語の質問文章とその解答外国語文章とが対応付けられて複数格納された出題文章格納手段から出題対象となる特定言語の質問文章が読み出されて表示手段に表示された時点を計時開始時点とし、ユーザの指示情報を入力するための入力手段を介して特定言語の質問文章に対応する解答外国語文章の口述が完了したことを示す告知情報が入力された時点又は予め設定された基準時間が経過した時点を終点として計時手段により計時を行い、入力手段を介して入力される指示情報及び／又は計時手段による計時結果に基づき、予め設定された基準時間内に表示手段に表示された特定言語の質問文章に対応する解答外国語文章が口述により正しく解答されたと判断された場合に特定言語の質問文章及び対応する解答外国語文章を合格文章格納手段に格納し、予め設定された基準時間内に表示手段に表示された特定言語の質問文章に対応する解答外国語文章が口述により正しく解答されなかったと判断された場合に特定言語の質問文章及び対応する解答外国語文章を努力文章格納手段に格納する。そして、合格文章格納手段及び努力文章格納手段のそれぞれに蓄積された特定言語の質問文章及び対応する解答外国語文章に基づいて、ユーザの解答状態を分析し、分析結果を表示する。従って、ユーザは、外国語文章を基準時間内に言えるようにするための口述訓練を効果的に行うことが可能となるとともに、自己の解答状態及び基準時間内に正しく解答できなかった文章の傾向を把握し、今後の外国語学習の指針とすることが可能となる。
【００２０】
請求項４に記載の発明によれば、予め定められた基準時間は、入力手段を介して設定できるので、ユーザは、各自のレベルに応じたスピードで口述訓練を行うことが可能となる。
【００２１】
請求項５に記載の発明によれば、出題文章格納手段に格納されている解答外国語文章には、その文章構造に基づく分類情報、その意味に基づく分類情報が対応付けられており、努力文章格納手段に格納された解答外国語文章に対応する文章構造に基づく分類情報及び意味に基づく分類情報に基づいて、ユーザの解答状態を分析するので、ユーザは、基準時間内に正しく解答できなかった文章の文章構造等の傾向を把握することが可能となり、今後の語学学習の指針とすることが可能となる。
【００２２】
請求項６に記載の発明によれば、努力文章格納手段に格納された特定言語の質問文章及び対応する解答外国語文章を再度出題対象として口述訓練を行うことができるので、基準時間内に正しく解答できなかった文章のみを重点的に訓練することが可能となる。
【００２３】
請求項７に記載の発明によれば、出題文章格納手段に格納される解答外国語文章には、当該出題文章格納手段に格納された他の解答外国語文章を名詞化又は副詞化した解答外国語文章が含まれるので、文章を名詞化又は副詞化したより複雑な表現の口述練習を行うことが可能となる。
【発明を実施するための最良の形態】
【００２４】
以下、図を参照して本発明の実施の形態を詳細に説明する。ただし、発明の範囲は、図示例に限定されない。
【００２５】
まず、構成を説明する。
図１に、本実施の形態における語学学習システム１００の全体構成を示す。
語学学習システム１００は、図１に示すように、サーバ１、端末装置２がネットワークＮ、無線基地局Ｂを介して相互にデータの送受信が可能なように接続されて構成されている。
【００２６】
サーバ１は、ＣＰＵ（Central Processing Unit）、ＲＡＭ(Random Access Memory)、ＨＤＤ(Hard Disc Drive)等により構成される記憶部、通信用インターフェース等を備えたサーバコンピュータである。サーバ１は、Ｗｅｂサーバとしての機能を実行するためのアプリケーションプログラム、ＨＴＭＬ(Hyper Text Markup Language)ファイル、携帯電話用ＨＴＭＬファイル（例えば、Ｃ−ＨＴＭＬ等）等が実装されており、端末装置２に搭載されたＷｅｂブラウザ（携帯電話用Ｗｅｂブラウザ）からの要求に応じて、端末装置２の表示画面上に各種Ｗｅｂ画面を表示する。
【００２７】
また、サーバ１は、図１に示すように、英語学習プログラムＤ１及び当該英語学習プログラムＤ１で使用される文章データファイルＤ２〜Ｄ５を記憶部に記憶しており、端末装置２からの所定のＷｅｂ画面を介して送信される英語学習プログラムのダウンロード要求に基づいて、記憶部に記憶されている英語学習プログラムＤ１及び当該英語学習プログラムＤ１で使用される文章データファイルＤ２〜Ｄ５を読み出して、端末装置２に送信する。なお、英語学習プログラムＤ１及び当該英語学習プログラムＤ１で使用される文章データファイルＤ２〜Ｄ５のダウンロード要求に対して、サーバ１はユーザ認証を行い、事前に登録されたユーザである場合に、これらのデータの送信を行う。
【００２８】
端末装置２は、Ｗｅｂブラウザとしての機能を実行するためのアプリケーションプログラムを実装した端末であり、Ｗｅｂブラウザ上でサーバ１の所定のＵＲＬを指定することにより、サーバ１に対して英語学習プログラムＤ１及び英語学習プログラムＤ１で使用される文章データファイルＤ２〜Ｄ５のダウンロード要求を行ってこれらのデータを取得し、図４に示す記憶部２５に記憶する。そして、このサーバ１からダウンロードされた英語学習プログラムＤ１をインストールして実行することにより、ユーザが英語文章を瞬間的に言えるようにするための口述訓練を支援する語学学習装置Ｃとして機能する。語学学習装置Ｃは、特定の言語（特定言語と称する）、例えば、日本語、朝鮮語、又は中国語等による質問文章を表示画面上に表示して出題し、日常的に特定言語を使用しているユーザが、その特定言語の質問文章を英語で予め設定された時間内に言えるように口述練習させるものである。サーバ１に記憶されている英会話学習プログラムＤ１、文章データファイルＤ１〜Ｄ５は、特定言語によりこの語学学習装置Ｃが提供されるように記述されている。
【００２９】
端末装置２としては、例えば、ＰＤＡ(Personal Digital Assistance)、携帯電話機、ＰＨＳ(Personal Handyphone System)、ＰＣ（Personal Computer）等を適用可能である。本実施の形態においては、端末装置２を携帯電話機として説明する。なお、端末装置２の台数は、特に限定されない。
【００３０】
語学学習装置Ｃにおいては、英語文章を「文型」+「動型」の組み合わせで分類してい
る。
「文型」とは、英語文章の文章構造を、動詞とそれ以外の文章の構成要素との係わり方により定式化し、５１種類（S01〜S51）のパターンに分類したものである。図２（ａ）に、文型の５１種類（S01〜S51）の一部の例を示す。
また、英語文章は、平叙文・疑問文・命令文・感嘆文、時制、疑問詞を伴う文、助動詞を伴う文等、意味上の分類を行うことができ、「動型」とは、英語文章を、意味に基づき３０種類（P01〜P30）のパターンに分類したものである。図２（ｂ）に、動型の３０種類（P01〜P30）の一部の例を示す。
【００３１】
また、語学学習装置Ｃで出題される文章群は、下記（１）〜（４）に示す“起”“承”“転”“結”からなる複数のまとまった文章単位により構成されている。
（１）基本的文章（他の文章を名詞化又は副詞化した表現を含まない文章）（起）
（２）“起”の文章を名詞化又は副詞化させた表現（承）
（３）“起”の文章とは異なる、“承”の表現を代入可能な文章（転）
（４）“転”の文章に“承”の表現を代入させた文章（結）
ある文章を名詞化することができれば、その文章の意味の固まりを名詞のひとつとして使うことができる。また、ある文章を副詞化することができれば、動作、状態に関して、より詳しい内容を付加することができるようになる。そこで、語学学習装置Ｃにおいては、上述の「文型」+「動型」からなる“起””“転”の文章として「文型」+「動型」の組み合わせからなる言いまわしを満遍なく配して出題するとともに、“承”“結”の文章で、基本的文章である“起”を利用した名詞化／副詞化の表現及びこれを含む文章（“転”に代入した文章）を出題することにより、「文型」+「動型」からなる言いまわしの口述訓練及び文章を名詞化／副詞化した複雑な表現の言いまわしの口述訓練を支援する。なお、語学学習装置Ｃにおいては、文章の名詞化の方法を４２種類に分類し、文章の副詞化の方法を１８種類に分類している。図３（ａ）に、名詞化４２種類（N01〜N42）の一部の例を、図３（ｂ）に、副詞化１８種類（V01〜V18）の一部の例を示す。
【００３２】
ネットワークＮは、専用線や既存の一般公衆回線を利用して構築された通信ネットワークであり、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００３３】
無線基地局Ｂは、ネットワークＮに接続され、無線基地局Ｂが管理するエリア内にある端末装置２と、ネットワークＮに接続されたサーバ１との間のデータの送受信を行う。なお、図１には、無線基地局Ｂを１台として図示しているが、これに限定されるものではない。
【００３４】
以下、語学学習装置Ｃとしての端末装置２の内部構成について説明する。
図４は、端末装置２の機能的構成を示すブロック図である。図４に示すように、端末装置２は、ＣＰＵ２１、入力部２２、表示部２３、ＲＡＭ２４、記憶部２５、音声入出力部２６、通信制御部２７、計時部２８等により構成され、各部はバス２９により接続されている。
【００３５】
ＣＰＵ２１は、記憶部２５に記憶されているシステムプログラムを読み出し、ＲＡＭ２４内に形成されたワークメモリに展開し、該システムプログラムに従って各部を制御する。また、ＣＰＵ２１は、記憶部２５に記憶されている、各種処理プログラム、アプリケーションプログラムを読み出してワークメモリに展開し、展開されたプログラムに従って各種処理を実行し、それらの処理結果をＲＡＭ２４内のワークメモリに記憶すると共に表示部２３に表示させる。そして、ワークメモリに格納した処理結果を記憶部２５内の指定の保存先に保存させる。
【００３６】
例えば、ＣＰＵ２１は、記憶部２５に記憶されているＷｅｂブラウザとしての機能を実行するためのアプリケーションプログラムに従ってサーバ１にアクセスし、サーバ１から提供されるＷｅｂ画面を介して英語学習プログラムＤ１及び文章データファイルＤ２〜Ｄ５のダウンロードを行い、記憶部２５に記憶する。
【００３７】
また、ＣＰＵ２１は、サーバ１からダウンロードされ、記憶部２５に記憶された英語学習プログラムＤ１に従ってウォームアップモード処理、訓練チャレンジモード処理、リトライモード処理を実行することにより、語学学習装置Ｃとしての機能を実現する。
【００３８】
入力部２２は、ユーザの指示情報を入力するための入力手段であり、カーソルキー、文字／数字キー、各種機能キー等を有し、そのキー操作による押下信号をＣＰＵ２１に出力する。
【００３９】
表示部２３は、ＬＣＤパネル等により構成され、ＣＰＵ２１から入力される表示データに基づいて画面表示を行う。
【００４０】
ＲＡＭ２４は、バッファとして各種プログラムや処理中のデータ、処理結果などを一時的に記憶するワークエリア（出題対象エリア、ポインタｎ等）を形成する。
【００４１】
記憶部２５は、フラッシュメモリなどの不揮発メモリ等により構成され、端末装置２に対応するシステムプログラム、及び該システムプログラム上で実行可能な各種処理プログラム、Ｗｅｂブラウザとしての機能を実行するためのアプリケーションプログラム及びこれらのプログラムで処理されたデータ等を記憶する。
【００４２】
本実施の形態において、記憶部２５は、図５に示すように、サーバ１からダウンロードした英語学習プログラムＤ１、英語学習プログラムＤ１で使用される、出題文章格納手段としての文章データファイルＤ２〜Ｄ５（文章データファイル（基本バージョン）Ｄ２、文章データファイル（応用バージョン１）Ｄ３、文章データファイル（応用バージョン２）Ｄ４及び文章データファイル（応用バージョン３）Ｄ５）を格納している。また、英語学習プログラムＤ１の実行時に結果を格納するための領域である合格ＢＯＸ２５１（合格文章格納手段）、努力ＢＯＸ２５２（努力文章格納手段）を有している。
【００４３】
英語学習プログラムＤ１は、端末装置２を語学学習装置Ｃとして機能させるためのアプリケーションプログラムであり、メインプログラム、ウォームアップモード処理プログラム、訓練チャレンジモード処理プログラム、リトライモード処理プログラム等の各種処理プログラムが含まれる。
文章データファイルＤ２〜Ｄ５は、それぞれ基本バージョン、応用バージョン１、応用バージョン２、応用バージョン３で出題される特定言語の質問文章及びその解答英語文章に関するデータ（以下、文章データと称する）を対応付けて格納するファイルである。
【００４４】
図６に、文章データファイルＤ２のデータ構成例を示す。図６においては、特定言語を日本語とした場合を示すが、特定言語が朝鮮語の場合、図６の質問文章データは朝鮮語の質問文章を示すデータとなり、特定言語が中国語の場合、図６の質問文章データは中国語の質問文章を示すデータとなる。図６に示すように、文章データファイルＤ２は、「ＮＯ．（識別番号）」「文章区分」「質問文章データ」「解答英語文章データ」、及び「分析データ」（文型区分、動型区分、名詞化区分、副詞化区分）の項目を有して構成され、各文章を識別するための識別番号、各文章の文章区分（上述の、“起”“承”“転”“結”の何れか）、質問文章データ、解答英語文章データ、及び解答英語文章データの分析データ（文型区分（S01〜S51の何れか）、動型区分（P01〜P30の何れか）、名詞化区分（N01〜N42の何れか）、副詞化区分（V01〜V18の何れか））を対応付けて記憶する。文章データファイルＤ３、文章データファイルＤ４及び文章データファイルＤ５も同様の構成である。なお、ここでいう文章データには、上述の“承”の表現に関するデータも含まれる。
【００４５】
なお、“起”の文章、“起”を名詞化或いは副詞化した“承”の表現、“承”の表現を代入するための“転”の文章、“転”の文章に“承”の文章を代入した“結”の文章は、上述したようにまとまった文章単位を構成するものであり、各単位内の文章の識別番号は、“起”から昇順に連番となっている。また、文章データファイルＤ２〜Ｄ５に格納されている全文章により、「文型区分」と「動型区分」の全ての組み合わせに対応する文章、全ての名詞化区分に対応する文章、全ての副詞化区分に対応する文章が網羅されている。
【００４６】
音声入出力部２６は、マイク、スピーカ、増幅器、Ａ／Ｄ変換部、及びＤ／Ａ変換部等を有し、マイクから入力されるユーザの音声信号をデジタル音声情報に変換し、その音声情報をＣＰＵ２１に出力するとともに、受話中にＣＰＵ２１から入力される音声情報や、着信音、操作確認音等の音声情報をアナログの音声信号に変換して増幅し、スピーカから出力する。
【００４７】
通信制御部２７は、アンテナ２７１を含む無線通信部で構成され、ＣＰＵ２１から入力される指示に従って、無線基地局Ｂを介してネットワークＮ上の各機器と各種情報を送受信する。
【００４８】
計時部２８は、計時手段であり、ＣＰＵ２１からの制御信号に基づいて、計時の開始を指示する開始キーが押下された時点を計時開始時点とし、特定言語の質問文章に対応する解答英語文章の口述が完了したことを示す告知情報を入力する終了キーが押下された時点又は予め設定された基準時間が経過した時点を終点として計時を行うタイマである。
【００４９】
次に、本実施の形態の動作について説明する。以下の動作は、日本語を特定言語とした場合について説明する。
入力部２２により英語学習プログラムの実行が指示されると、記憶部２５に記憶されている当該英語学習プログラムＤ１のメインプログラムが起動され、ＣＰＵ２１と英語学習プログラムＤ１の協働によるソフトウエア処理により、表示部２３に図示しないモード選択画面が表示される。モード選択画面からウォームアップモードが選択されると、図７に示すウォームアップモード処理が実行される。モード選択画面からチャレンジモードが選択されると、図９、１０に示す訓練チャレンジモード処理が実行される。モード選択画面からリトライモードが選択されると、図１３に示すリトライモード処理が実行される。
【００５０】
以下、図７を参照してウォームアップモード処理について説明する。
まず、表示部２３にバージョン選択画面（図示せず）が表示され、入力部２２を介してバージョンの選択が行われる（ステップＴ１）。バージョンは、基本バージョン、応用バージョン１〜３が用意されており、ユーザがバージョン選択画面上から出題対象としたいバージョンを選択することができる。
【００５１】
バージョンが選択されると、表示部２３にチャレンジ範囲選択画面（図示せず）が表示され、出題対象とする文章範囲の選択が行われる（ステップＴ２）。各バージョンは、複数、例えば、６００の出題用の文章からなり、チャレンジ範囲選択画面においては、出題対象とする文章の範囲を選択することができる。
【００５２】
バージョン及び出題範囲が選択されると、記憶部２５に記憶されている、選択されたバージョンに対応する文章データファイル（文章データファイルＤ２〜Ｄ５の何れか）から出題対象として選択された範囲に対応する識別番号を有する文章データが抽出され、ＲＡＭ２４の出題対象エリアに読み出され（ステップＴ３）、ＲＡＭ２４のポインタｎに１が設定され（ステップＴ４）、出題対象エリアに読み出された文章データのうち先頭からｎ番目の文章データの質問文章データに基づいて質問画面２３１が表示部２３に表示される（ステップＴ５）。
【００５３】
図８（ａ）に、ステップＴ５で表示部２３に表示される質問画面２３１の一例を示す。図８（ａ）に示すように、質問画面２３１には、「英語で言って下さい」というユーザへのメッセージと、出題された日本語の質問文章と、表示された質問文章に付されている識別番号（ＮＯ．）と、表示された質問文章に対応する解答英語文章の表示を指示するための英語キーと、次の質問文章の表示を指示するための次頁キーとが表示されている。ユーザは、表示部２３に表示されている出題された質問文章を見て、その質問文章を英語で言う口述出題を行う。表示された質問文章に対応する解答英語文章を表示して確認したい場合は、英語キーを押下すると、図８（ｂ）に示す英語画面２３２が表示されるので、質問文章に対応する英語を確認することができる。英語画面２３２には、表示されている解答英語文章に対応する日本語を再度表示させるための日本語キーと、次の特定言語の質問文章の表示を指示するための次頁キーとが表示されている。なお、質問画面２３１及び英語画面２３２は、特定言語がどの言語かによってその表示が異なる。例えば、特定言語が朝鮮語の場合は、質問画面２３１上のユーザへのメッセージ及び質問文章、質問画面２３１及び英語画面２３２の機能キーは朝鮮語で表示され、特定言語が中国語の場合は、質問画面２３１上のユーザへのメッセージ及び質問文章、質問画面２３１及び英語画面２３２の機能キーは中国語で表示される。また、英語画面２３２の日本語キーは、特定言語が朝鮮語であれば朝鮮語キー、特定言語が中国語であれば中国語キーとなる。後述の図１１に示す質問画面２３３、英語画面２３４についても同様である。
【００５４】
質問画面２３１から英語キーが押下されず（ステップＴ６；ＮＯ）、次頁キーが押下されると（ステップＴ７）、処理はステップＴ１１に移行する。
【００５５】
質問画面２３１から英語キーが押下されると（ステップＴ６；ＹＥＳ）、ｎ番目の英語文章データに基づいて英語画面２３２が表示される（ステップＴ８）。英語画面２３２から日本語キーが押下されると（ステップＴ９；ＹＥＳ）、処理はステップＴ５に戻り、再度質問画面２３１が表示される。英語画面２３２から次頁キーが押下されると（ステップＴ１０；ＹＥＳ）、処理はステップＴ１１に移行する。
【００５６】
ステップＴ１１において、ポインタｎの値が出題対象エリアに読み出された総データ数（文章データの総数）以上であるか否かが判断され、ポインタｎの値が総データ数以上ではない場合（ステップＴ１１；ＮＯ）、ｎに格納されている値がインクリメントされ（ステップＴ１２）、処理はステップＴ５に戻り、次の文章データに対してステップＴ５〜Ｔ１０の処理が実行される。ポインタｎの値が総データ数以上である場合は（ステップＴ１１；ＹＥＳ）、表示部２３に終了画面が表示され（ステップＴ１３）、ＲＡＭ２４の出題対象エリアがクリアされ、本処理は終了する。
【００５７】
ウォームアップ処理が終了すると、表示部２３にモード選択画面が表示される。
【００５８】
以上説明したように、ウォームアップモードでは、ユーザが選択したバージョンの選択された出題対象範囲の特定言語の質問文章を順次表示して出題するので、ユーザは、出題された質問文章が英語で言えるか否かを確認することができる。また、表示された質問文章に対応する解答英語文章を表示することができるので、正しい英語を確認することができる。また、入力部２２からの指示に応じて次の文章を表示したり、同じ文章の質問文章と解答英語文章を繰り返し表示したりすることができるので、ユーザが、自分のペースに応じて質問文章に対応する解答英語文章を覚えたり、口述練習したりするのを支援することができる。
【００５９】
また、語学学習装置Ｃにより出題される文章は、上述したように、“起”、“承”、“転”、“結”により構成されているので、“起”“承”“転”“結”の文章を順番に練習することにより、「文型」＋「動型」の組み合わせ及び名詞化／副詞化の言いまわしを練習することができる。
【００６０】
以下、図９、１０を参照して、チャレンジモードが選択された際に実行される訓練チャレンジモード処理について説明する。
当該処理は、ユーザが与えられた特定言語の質問文章を瞬間的に英語文章で言えるようにするための口述訓練を支援するものである。具体的には、設定された基準時間（秒数）特定言語の質問文章を表示し、表示された時間内にユーザがその質問文章に対応する解答英語文章を言えた場合にはその文章データを合格ＢＯＸ２５１に格納し、表示された時間内にユーザがその質問文章に対応する解答英語文章を言えなかった場合、解答のパスをした場合、或いは間違った場合にはその文章データを努力ＢＯＸ２５２に格納する。そして、設定された範囲の出題が終了すると、合格ＢＯＸ２５１に格納された文章データ及び／又は努力ＢＯＸ２５２に格納された文章データに基づいて、ユーザの解答状態を分析し、分析結果を表示する。当該処理を実行することにより、表示制御手段、解答可否分類手段、分析手段が実現される。
【００６１】
まず、合格ＢＯＸ２５１及び努力ＢＯＸ２５２がリセットされる（ステップＴ２１）。次いで、表示部２３にバージョン選択画面（図示せず）が表示され、入力部２２を介してバージョンの選択が行われる（ステップＴ２２）。バージョンは、例えば、基本バージョン、応用バージョン１〜３が用意されており、ユーザがバージョン選択画面上から出題対象としたいバージョンを選択することができる。
【００６２】
バージョンが選択されると、表示部２３にチャレンジ範囲選択画面（図示せず）が表示され、出題対象とする範囲の選択が行われる（ステップＴ２３）。各バージョンは、複数、例えば、６００の出題用の文章を有しており、チャレンジ範囲選択画面においては、出題対象とする文章の範囲を選択することができる。
【００６３】
出題対象とする文章の範囲が選択されると、表示部２３に秒数セット画面（図示せず）が表示され、秒数のセットが行われる（ステップＴ２４）。秒数セットは、表示された質問文章が次の質問文章に切り換わり、先に表示されていた質問文章に対応する文章データが努力ＢＯＸ２５２に格納されるまでの基準時間を設定するものであり、例えば、１秒（最高目標レベル）、２秒、３秒、５秒、７秒、１０秒の中から設定することができる。
【００６４】
バージョン、出題範囲及び秒数が設定されると、表示部２３に出題形式設定画面（図示せず）が表示され、入力部２２を介して、出題順番（１．シーケンシャル／２．ランダム）及び出題カテゴリー（１．起承転結／２．結のみ）の２つの設定項目の設定が行われる（ステップＴ２５）。出題順番の設定は、出題対象の文章データをシーケンシャルに表示して出題するか、ランダムに表示して出題するかを設定する。出題カテゴリーの設定は、選択されたバージョンの、選択された出題範囲に対応する文章データのうち、文章区分が起、承、転、結の全ての文章データを出題するか、文章区分が結の文章データのみを出題するかを設定する。
【００６５】
各種選択及び設定が終了すると、記憶部２５に記憶されている、選択されたバージョンに対応する文章データファイル（文章データファイルＤ２〜Ｄ５の何れか）から、出題対象として選択された範囲の、設定された出題カテゴリーの文章データが抽出され、ＲＡＭ２４の出題対象エリアに読み出され（ステップＴ２６）、ＲＡＭ２４のポインタｎに１が設定される（ステップＴ２７）。
【００６６】
次いで、設定された出題順番が判別され、出題順番１（シーケンシャル）が設定された場合は（ステップＴ２８；１）、ＲＡＭ２４に読み出された出題対象の文章データのうち先頭からｎ番目の文章データが出題対象として選択され（ステップＴ２９）、処理はステップＴ３１に移行する。一方、出題順番２（ランダム）が設定された場合は（ステップＴ２８；２）、ＲＡＭ２４に読み出された文章データの中から出題する文章データがランダムに選択され（ステップＴ３０）、処理はステップＴ３１に移行する。ランダムに文章データを選択する際、一度選択された文章データには選択済みフラグが対応付けられ、重複のないように選択が行われる。
【００６７】
出題する文章データが選択されると、選択された文章データの質問文章データに基づいて、表示部２３に質問画面２３３が表示される（ステップＴ３１）。
【００６８】
図１１（ａ）に、ステップＴ３１で表示部２３に表示される質問画面２３３の一例を示す。図１１（ａ）に示すように、質問画面２３３には、「開始キーを押下してから英語で言って下さい」というユーザへのメッセージと、特定言語の質問文章と、表示された質問文章に付されている識別番号（ＮＯ．）と、秒数カウントの開始を指示するための開始キーと、表示された質問文章に対する解答のパスを指示するためのパスキーとが表示されている。ユーザは、質問文章が表示部２３に表示された時点で開始キーを押下し、質問文章を英語で言う口述練習を行う。開始キーが押下されると、図１１（ｂ）に示すように、質問画面２３３に秒数カウントの終了を指示するための終了キーが表示される。
【００６９】
質問画面２３３から開始キーが押下されると（ステップＴ３２；ＹＥＳ）、計時部２８により計時が開始される（ステップＴ３３）。なお、ここでは、質問文章が表示部２３に表示された時点でユーザにより押下される開始キーに応じて計時部２８による計時を開始することとしているが、表示部２３に質問文章が表示された時点で自動的に計時を開始することとしてもよい。
【００７０】
計時部２８による計時が開始されると、ユーザは、質問画面２３３に表示された質問文章に対応する英語文章を声に出して発音する。英語文章を言い終えると同時に、ユーザは終了キーを押下する。終了キーが押下されると（ステップＴ３４；ＹＥＳ）、計時部２８による計時が終了され、計時結果が出題対象エリアに記憶されている、ステップＴ２９又はＴ３０で選択された文章データに対応付けて記憶されるとともに（ステップＴ３５）、当該文章データの解答英語文章データが読み出され、表示部２３に英語画面２３４が表示される（ステップＴ３６）。
【００７１】
図１１（ｃ）に、ステップＴ３６で表示部２３に表示される英語画面２３４の一例を示す。図１１（ｃ）に示すように、英語画面２３４には、ステップＴ３１で表示された質問文章に対応する解答英語文章と、ユーザが正しく、即ち、解答英語文章どおりに英語文章を言えたか否かを確認（セルフチェック）し、正しく言えた場合に押下する「正」キーと、間違っていた場合に押下する「誤」キーが表示されている。
【００７２】
英語画面２３４から「正」キーが押下されると（ステップＴ３７；正）、ＲＡＭ２４の出題対象エリアから、ステップＴ２９又はＴ３０で選択された文章データ及び対応する計時結果が読み出され、記憶部２５の合格ＢＯＸ２５１に格納され（ステップＴ３８）、処理はステップＴ４５に移行する。英語画面２３４から「誤」キーが押下されると（ステップＴ３７；誤）、出題対象エリアから、ステップＴ２９又はＴ３０で選択された文章データ及び対応する計時結果が読み出され、記憶部２５の努力ＢＯＸ２５２に格納され（ステップＴ４４）、処理はステップＴ４５に移行する。
【００７３】
一方、質問画面２３３から終了キーが押下されず（ステップＴ３４；ＮＯ）、パスキーが押下されると（ステップＴ３９；ＹＥＳ）、計時部２８による計時が停止され、出題対象エリアに記憶されているステップＴ２９又はＴ３０で選択された文章データに、当該文章データの解答がパスされたことを示すフラグ（パスフラグ）が対応付けられるとともに（ステップＴ４０）、当該文章データの解答英語文章データを表示した英語画面２３４が表示される（ステップＴ４３）。そして、出題対象エリアから、ステップＴ２９又はＴ３０で選択された文章データ及び対応するパスフラグが努力ＢＯＸ２５２へ格納され（ステップＴ４４）、処理はステップＴ４５に移行する。
【００７４】
一方、質問画面２３３から終了キーが押下されず（ステップＴ３４；ＮＯ）、パスキーも押下されず（ステップＴ３９；ＹＥＳ）、ステップＴ２４で設定された基準時間（秒数）が経過した場合は（ステップＴ４１；ＹＥＳ）、計時部２８による計時が終了され、出題対象エリアに記憶されているステップＴ２９又はＴ３０で選択された文章データに基準時間経過（時間オーバー）を示すフラグが対応付けられるとともに（ステップＴ４２）、当該文章データの解答英語文章データを表示した英語画面２３４が表示される（ステップＴ４３）。そして、出題された文章データ及び基準時間経過を示すフラグが努力ＢＯＸ２５２へ格納され（ステップＴ４４）、処理はステップＴ４５に移行する。
【００７５】
ステップＴ４５において、ポインタｎの値が出題対象の文章データ数以上となったか否かが判断され、ポインタｎの値が出題対象の文章データ数以上となっていない場合は（ステップＴ４５；ＮＯ）、ポインタｎがインクリメントされ（ステップＴ４６）、処理はステップＴ２８に戻る。一方、ポインタｎの値が出題対象の文章データ数以上となった場合は（ステップＴ４５；ＹＥＳ）、合格ＢＯＸ２５１、努力ＢＯＸ２５２に蓄積された文章データに基づいてユーザの解答状態が分析され（ステップＴ４７）、分析結果が表示部２３に表示される（ステップＴ４８）。ユーザの解答状態の分析は、合格ＢＯＸ２５１又は努力ＢＯＸ２５２、或いは、合格ＢＯＸ２５１及び努力ＢＯＸ２５２の双方に蓄積されたデータに基づいて行われる。分析方法としては、例えば、合格ＢＯＸ２５１及び／又は努力ＢＯＸ２５２の何れかに蓄積された文章データ数の出題対象の文章データ数に占める割合の算出、努力ＢＯＸ２５２の文章データの分析データを集計することによる、苦手な文型、動型、名詞化、副詞化のパターンの分析等により行われる。
【００７６】
図１２に、ステップＴ４８で表示部２３に表示される分析結果画面２３５の一例を示す。この分析結果画面２３５は、表示部２３を入力部２２のキー操作によりスクロールすることで全体を表示することが可能である。図１２に示すように、分析結果画面２３５には、「全体評価」Ｖ１、「解答が遅かった順番での質問文章の表示」Ｖ２、「パスされた文章及び間違った文章の分析」Ｖ３が表示されている。「全体評価」Ｖ１は、合格ＢＯＸ２５１、又は努力ＢＯＸ２５２の何れかに蓄積された文章データ数の出題対象の文章データ数に占める割合を算出し、算出結果と予め設定された基準値との比較に基づき、ユーザの解答状態を、例えば、かなり良い、良い、普通、悪い等にランク付けした結果である。「解答が遅かった順番での質問文章の表示」Ｖ２は、合格ＢＯＸ２５１に蓄積された文章データから、計時時間に基づき解答が遅かった順に質問文章を並べた結果である。「パスされた文章及び間違った文章の分析」Ｖ３は、努力ＢＯＸ２５２の文章データの分析データに基づき、ユーザの苦手な文型、動型、名詞化、副詞化のパターンを分析した結果である。この分析結果画面２３５の表示により、ユーザは、自分の解答レベル、自分が苦手な文章、苦手な文型、動型、名詞化、副詞化のパターン等を知ることができ、これからの英語学習の指針とすることができる。なお、分析結果画面２３５は、特定言語で表示される。例えば、特定言語が朝鮮語であれば分析結果画面２３５は朝鮮語で、特定言語が中国語であれば分析結果表示画面２３５は中国語で表示される。
【００７７】
ユーザの解答状態の分析は、合格ＢＯＸ２５１及び／又は努力ＢＯＸ２５２の文章データに基づいて行い、分析結果として上記Ｖ１〜Ｖ３の少なくとも一つを表示することが好ましい。
【００７８】
分析結果画面２３５からリセットキーが押下されると（ステップＴ４９；ＹＥＳ）、ＲＡＭ２４の出題対象エリア、合格ＢＯＸ２５１及び努力ＢＯＸ２５２に格納されているデータがクリアされ（ステップＴ５０）、本処理は終了する。分析結果画面２３５からリセットキーが押下されず（ステップＴ４９；ＮＯ）、終了キーが押下されると（ステップＳ５１；ＹＥＳ）、ＲＡＭ２４の出題対象エリアがクリアされるとともに、ステップＴ２４でセットされた秒数が記憶部２５の所定領域に保持され（ステップＴ５２）、本処理は終了する。
【００７９】
訓練チャレンジモード処理が終了すると、表示部２３にモード選択画面が表示される。
【００８０】
以上説明したように、チャレンジモードでは、ユーザが選択したバージョンの選択された出題範囲の特定言語の質問文章を順次又はランダムに表示し、表示された質問文章に対応する英語文章をユーザが英語で言い終わるまでの時間を計時し、予め設定された時間内に解答英語文章を正しく言い終えることができた文章データを合格ＢＯＸ２５１に分類し、正しく言うことができなかった文章データ、英語を言い終える前に基準時間が経過してしまった文章データ及びパスキーが押下された文章データを努力ＢＯＸ２５２に分類し、結果を表示部２３に表示する。従って、質問文章を見て基準時間内に英語で言えるように口述訓練することができる。基準時間は、１秒、２秒、３秒、５秒、７秒、１０秒と設定することができるので、ユーザは、各自のレベルに応じて段階的にスピードを上げていき、最終的に、質問文章を見て瞬間的に英語を言えるレベルまで口述訓練を行うことができる。また、合格ＢＯＸ２５１及び／又は努力ＢＯＸ２５２に蓄積された文章データに基づいてユーザの解答状態を分析し、分析結果を表示するので、ユーザが自分の解答状態を知ることが可能となり、これからの英語学習の指針とすることができる。
【００８１】
上述の訓練チャレンジモード処理で努力ＢＯＸ２５２に分類された文章は、モード選択画面でリトライモードを選択することにより、重点的に練習することができる。
以下、図１３を参照して、リトライモードが選択された際に実行されるリトライモード処理について説明する。
【００８２】
まず、努力ＢＯＸ２５２に格納されている先頭の文章データが選択され（ステップＴ６１）、選択された文章データの質問文章データに基づいて、表示部２３に質問画面２３３（図１１（ａ）（ｂ）参照）が表示される（ステップＴ６２）。次いで、開始キーの押下が待機され、開始キーが押下されると（ステップＴ６３；ＹＥＳ）、計時部２８により計時が開始される（ステップＴ６４）。ここで、ユーザは、質問画面２３３に表示された質問文章に対応する英語文章を口述する。表示された質問文章に対応する英語文章が言い終わると同時に、ユーザは終了キーを押下する。終了キーが押下されると（ステップＴ６５；ＹＥＳ）、計時部２８による計時が終了され（ステップＴ６６）、当該文章データの解答英語文章データが読み出され、表示部２３に英語画面２３４（図１１（ｃ）参照）が表示される（ステップＴ６７）。
【００８３】
英語画面２３４からセルフチェックが行われ、「正」キーが押下されると（ステップＴ６８；正）、出題された文章データが努力ＢＯＸ２５２から合格ＢＯＸ２５１へ移動されて格納され（ステップＴ６９）、処理はステップＴ７４に移行する。英語画面２３４から「誤」キーが押下されると（ステップＴ６８；誤）、処理はステップＳ７４に移行する。
【００８４】
一方、質問画面２３３から終了キーが押下されず（ステップＴ６５；ＮＯ）、パスキーが押下されると（ステップＴ７０；ＹＥＳ）、計時部２８による計時が停止され（ステップＴ７２）、表示部２３に当該文章データの解答英語文章データを表示した英語画面２３４が表示され（ステップＴ７３）、処理はステップＴ７４に移行する。
【００８５】
一方、質問画面２３３から終了キーが押下されず（ステップＴ６５；ＮＯ）、パスキーも押下されず（ステップＴ７０；ＹＥＳ）、予め設定された基準時間（訓練チャレンジモード処理のステップＴ２４で設定された秒数）が経過した場合は（ステップＴ７１；ＹＥＳ）、計時部２８による計時が終了され（ステップＴ７２）、表示部２３に当該文章データの解答英語文章データを表示した英語画面２３４が表示され（ステップＴ７３）、処理はステップＴ７４に移行する。
【００８６】
ステップＴ７４において、努力ＢＯＸ２５２内の文章データ数が０であるか否かが判断され、０でない場合は（ステップＴ７４；ＮＯ）、努力ＢＯＸ２５２から次の文章データが選択され（ステップＴ７５）、処理はステップＴ６２に戻る。努力ＢＯＸ２５２内の文章データ数が０になると（ステップＴ７４；ＹＥＳ）、全ての文章が合格ＢＯＸに分類され、練習が終了したことを示す終了画面が表示部２３に表示され（ステップＴ７６）、合格ＢＯＸ２５１内のデータがクリアされてリセットされ（ステップＴ７７）、本処理は終了する。
【００８７】
リトライモード処理が終了すると、表示部２３にモード選択画面が表示される。
以上説明したように、リトライモードでは、ユーザがチャレンジモードで基準時間内に正しく解答することができなかった、努力ＢＯＸ２５２に蓄積された文章のみを、正しく言えるようになるまで繰り返し出題するので、ユーザが苦手な文章を重点的に練習することが可能となる。
【００８８】
なお、上記実施の形態における記述内容は、本発明に係る語学学習システム１００の好適な一例であり、これに限定されるものではない。
【００８９】
例えば、上記実施の形態においては、語学学習システム１００を英語の学習システムとした場合を例にとり説明したが、文章データファイルＤ２〜Ｄ５の内容を他の外国語文章に対する内容とすれば、他の外国語学習に適用可能である。
【００９０】
また、語学学習装置Ｃにおける付加機能として、解答英語文章を特徴的に理解するための説明文やイメージ的なイラスト、解答英語文章の音声等を提供するようにしてもよい。この場合、端末装置２の処理能力や記憶部の容量から上記機能の全てを端末装置２に搭載することに限界がある場合は、ＰＣ等のネットワークＮに接続された他の端末装置と端末装置２に機能を分散し、他の端末装置と端末装置２の協働により、語学学習装置Ｃにおける全機能を実現するようにしてもよい。例えば、他の端末装置に、上述の説明文を提供する機能に対応するデータやプログラムを実装しておき、端末装置２の入力部２２からの要求に応じて他の端末装置に説明文を表示するためのデータを要求し、他の端末装置から提供されるデータに基づき、端末装置２において説明文の表示を行うようにしてもよい。
【００９１】
その他、語学学習システム１００を構成する各装置の細部構成、及び細部動作に関しても、本発明の趣旨を逸脱することのない範囲で適宜変更可能である。
【図面の簡単な説明】
【００９２】
【図１】本発明に係る語学学習システム１００の全体構成を示す図である。
【図２】（ａ）は、語学学習システム１００における、英語文章の「文型」による分類例を示す図、（ｂ）は、語学学習システム１００における、英語文章の「動型」による分類例を示す図である。
【図３】（ａ）は、語学学習システム１００における、英語文章の「名詞化」の一例を示す図であり、（ｂ）は、語学学習システム１００における、英語文章の「副詞化」の一例を示す図である。
【図４】図１の端末装置２の機能的構成を示すブロック図である。
【図５】図４の記憶部２５の構成例を示す図である。
【図６】図５の文章データファイルＤ２のデータ格納例を示す図である。
【図７】図４のＣＰＵ２１により実行されるウォームアップモード処理を示すフローチャートである。
【図８】（ａ）は、ウォームアップモード処理において表示部２３に表示される質問画面２３１の一例を示す図、（ｂ）は、ウォームアップモード処理において表示部２３に表示される英語画面２３２の一例を示す図である。
【図９】図４のＣＰＵ２１により実行される訓練チャレンジモード処理を示すフローチャートである。
【図１０】図４のＣＰＵ２１により実行される訓練チャレンジモード処理を示すフローチャートである。
【図１１】（ａ）（ｂ）は、訓練チャレンジモード処理において表示部２３に表示される質問画面２３３の一例を示す図、（ｃ）は、訓練チャレンジモード処理において表示部２３に表示される英語画面２３４の一例を示す図である。
【図１２】訓練チャレンジモード処理において表示部２３に表示される分析結果画面２３５の一例を示す図である。
【図１３】図４のＣＰＵ２１により実行されるリトライモード処理を示すフローチャートである。
【符号の説明】
【００９３】
１００  語学学習システム
１  サーバ
２  端末装置
２１  ＣＰＵ
２２  入力部
２３  表示部
２４  ＲＡＭ
２５  記憶部
２５１  合格ＢＯＸ
２５２  努力ＢＯＸ
２６  音声入出力部
２７  通信制御部
２７１  アンテナ
２８  計時部
２９  バス
Ｄ１  英語学習プログラム
Ｄ２  文章データファイル（基本バージョン）
Ｄ３  文章データファイル（応用バージョン１）
Ｄ４  文章データファイル（応用バージョン２）
Ｄ５  文章データファイル（応用バージョン３）
Ｎ  ネットワーク
Ｂ  無線基地局
【図１】
2006184899.tif 000003
【図２】
2006184899.tif 000004
【図３】
2006184899.tif 000005
【図４】
2006184899.tif 000006
【図５】
2006184899.tif 000007
【図６】
2006184899.tif 000008
【図７】
2006184899.tif 000009
【図８】
2006184899.tif 000010
【図９】
2006184899.tif 000011
【図１０】
2006184899.tif 000012
【図１１】
2006184899.tif 000013
【図１２】
2006184899.tif 000014
【図１３】
2006184899.tif 000015